(57)【要約】【課題】時分割複信且つ符号分割多元接続方式により通信を行う移動体通信端末機を試験する際に、試験者が、物理チャネルの割当を容易に確認することができる試験装置及び試験方法を提供すること。【解決手段】試験装置の割当状況表示制御部は、設定情報取得部で取得され特定された割当の設定情報に基づき、接続状態ごとに、物理チャネルと、タイムスロット及びチャネライゼーションコードへの対応付けを表す割当状況表示画面４６を生成する。したがって、操作者は、接続状態ごとに、その割当の状況を容易に確認することができる。【選択図】図８
2014138418.tif 000002
【特許請求の範囲】
【請求項１】
各種のチャネルを設定し、試験対象である移動体通信端末機（１０）との間で、通信フレームが複数のタイムスロットで分割された時分割複信且つ符号分割多元接続方式で通信可能な通信部（５４）と、
表示部（４１）と、
前記チャネルのうち物理チャネルの割当に関連する設定情報を取得する設定情報取得部（５１）と、
前記取得された設定情報に基づき、前記物理チャネルの、前記タイムスロット及びチャネライゼーションコードへの対応付けを表す割当状況表示画面を生成して前記表示部に表示する表示制御部（４２）と
を具備する試験装置。
【請求項２】
請求項１に記載の試験装置であって、
前記表示制御部は、前記タイムスロットを示す領域を横軸に、前記チャネライゼーションコードを示す領域を縦軸にして、表形式で前記割当状況表示画面を生成する
試験装置。
【請求項３】
請求項１または２に記載の試験装置であって、
前記移動体通信端末機との通信シーケンスを記述した試験シナリオに従って前記通信部に通信を行わせるシナリオ処理部（５２）をさらに具備し、
前記設定情報取得部は、前記試験シナリオに含まれる、前記物理チャネルの割当に関連する設定情報を取得する
試験装置。
【請求項４】
請求項３に記載の試験装置であって、
前記設定情報取得部は、前記試験シナリオに含まれる、通信方向の前記タイムスロットへの割当に関連する設定情報を取得し、
前記表示制御部は、前記取得された設定情報に基づき、前記タイムスロット毎の前記通信方向を示す画像を、前記割当状況表示画面内にさらに生成する
試験装置。
【請求項５】
請求項３または４に記載の試験装置であって、
前記設定情報取得部は、前記試験シナリオに基づいて前記移動体通信端末機と前記通信部との接続状態を判定し、
前記表示制御部は、前記判定された接続状態を示す情報を、前記割当状況表示画面内にさらに生成する
試験装置。
【請求項６】
請求項１または２に記載の試験装置であって、
前記通信部による通信のシーケンスのログデータを生成するログデータ生成部（５６）をさらに具備し、
前記表示制御部は、前記ログデータの一覧を前記表示部に表示可能であり、
前記設定情報取得部は、前記ログデータの一覧のうち、操作者により指定されたログデータまたはこれに関連するログデータに含まれる、前記物理チャネルの割当に関連する設定情報を取得する
試験装置。
【請求項７】
請求項６に記載の試験装置であって、
前記設定情報取得部は、前記指定されたログデータまたはこれに関連するするログデータに含まれる、通信方向の前記タイムスロットへの割当に関連する設定情報を取得し、
前記表示制御部は、前記取得された設定情報に基づき、前記タイムスロット毎の前記通信方向を示す情報を、前記割当状況表示画面内にさらに生成する
試験装置。
【請求項８】
請求項６または７に記載の試験装置であって、
前記設定情報取得部は、前記指定されたログデータまたはこれに関連するログデータから前記移動体通信端末機と前記通信部との接続状態を判定し、
前記表示制御部は、前記判定された接続状態を示す情報を、前記割当状況表示画面内にさらに生成する
試験装置。
【請求項９】
請求項８に記載の試験装置であって、
前記表示制御部は、前記操作者の操作に応じて、前記表示制御部により生成された前記割当状況表示画面の前記接続状態の時点を基準とした過去または未来における、前記物理チャネルの前記タイムスロットへの対応付けを表す割当状況表示画面を生成する
試験装置。
【請求項１０】
請求項１から９のうちいずれか１項に記載の試験装置であって、
前記表示制御部で生成すべき前記割当状況表示画面のデータ量を間引く間引き処理部（６５）をさらに具備する
試験装置。
【請求項１１】
各種のチャネルを設定し、試験対象である移動体通信端末機（１０）との間で、通信フレームが複数のタイムスロットで分割された時分割複信且つ符号分割多元接続方式で通信可能な試験装置（５０、１５０）による試験方法であって、
前記チャネルのうち物理チャネルの割当に関連する設定情報を取得し、
前記取得された設定情報に基づき、前記物理チャネルの、前記タイムスロット及びチャネライゼーションコードへの対応付けを表す割当状況表示画面を生成し、
前記割当状況表示画面を表示する
試験方法。
【発明の詳細な説明】
【技術分野】
【０００１】
本発明は、携帯電話機等の移動体通信端末の試験を行う試験装置及び試験方法に関する。
【背景技術】
【０００２】
携帯電話機やモバイル機器等の移動体通信端末の開発にあたり、移動体通信端末が通信規格にしたがって正常に通信できるかを試験する試験装置が用いられる。このような試験装置には、試験装置の動作シーケンスや通信シーケンスが記載された試験シナリオが予め作成されて記憶されており、試験装置は、その試験シナリオしたがって疑似基地局として動作して試験対象である移動体通信端末と通信することで、正常に通信できるかどうかの確認を行う。
【０００３】
移動体通信規格では、通信データの用途や特性に応じて複数種類のチャネルを定義し、これらのチャネルを多重して通信を行うのが一般的である。例えば、物理、トランスポート及び論理の各レイヤに、チャネルが正しく設定されているかをユーザに認識させるために、各種チャネルの割当状況をレイヤ構成と関連付けて表示する疑似基地局装置が開示されている（例えば、特許文献１参照）。
【０００４】
ところで、移動体通信では、複信の方式として、周波数分割複信（ＦＤＤ：Frequency Division Duplex）と時分割複信（ＴＤＤ：Time Division Duplex）とがある。ＦＤＤでは、上りと下りとで異なる周波数帯を用いるが、ＴＤＤでは、同一周波数帯をタイムスロットに分割し、分割されたタイムスロットにダウンリンクとアップリンクをそれぞれ割り当てている。ＴＤＤ方式の一部（例えば、ＴＤ−ＳＣＤＭＡ：Time Division - Synchronous Code Division Multiple Access）では、ダウンリンク／アップリンクの、タイムスロットへの割当が動的に変化することが可能となっている。
【先行技術文献】
【特許文献】
【０００５】
【特許文献１】特開２００８−２５２６３０号公報
【発明の概要】
【発明が解決しようとする課題】
【０００６】
ＴＤＤ方式では、特に、基地局と移動体通信端末との間の接続状態に応じて物理チャネルのタイムスロットへの割当が変化する。ＴＤＤ方式に対応した移動体通信端末の試験にあたり、例えば通信に異常が発生した場合に、その物理チャネルの割当を確認することは、試験者にとって、当該異常の発生の原因を特定するための手助けとなり得る。しかしながら、試験者が物理チャネルの割当状況を確認しようとする場合、従来までの試験装置では、試験後に、膨大な量の通信ログからその割当を個別に確認する必要があり、手間と時間がかかっていた。
【０００７】
したがって、本発明の目的は、ＴＤＤの通信方式のうち、特にＣＤＭＡ方式を用いる場合において、試験者が、物理チャネルの割当を容易に確認することができることによって、試験者の手間と時間を減らすことができる試験装置及び試験方法を提供することにある。
【課題を解決するための手段】
【０００８】
上記目的を達成するため、本発明に係る試験装置５０、１５０は、表示部４１と、通信部５４と、設定情報取得部５１と、表示制御部４２とを具備する。
前記通信部は、各種のチャネルを設定し、試験対象である移動体通信端末機（１０）との間で、通信フレームが複数のタイムスロットで分割された時分割複信且つ符号分割多元接続方式で通信可能である。
前記設定情報取得部は、前記チャネルのうち物理チャネルの割当に関連する設定情報を取得する。
前記取得された設定情報に基づき、前記物理チャネルの、前記タイムスロット及びチャネライゼーションコードへの対応付けを表す割当状況表示画面を生成して前記表示部に表示する。
【０００９】
表示制御部は、物理チャネルの割当の設定情報に基づき、物理チャネルの、タイムスロット及びチャネライゼーションコードへの対応付けを表す割当状況表示画面を生成して表示部に表示させるので、操作者は、その物理チャネルの割当状況を容易に確認することができる。これにより、操作者の手間及びその割当状況の確認のための時間を減らすことができる。
【００１０】
前記表示制御部は、前記タイムスロットを示す領域を横軸に、前記チャネライゼーションコードを示す領域を縦軸にして、表形式で前記割当状況表示画面を生成してもよい。割当状況表示画面を表形式にすることにより、操作者による割当状況の認識の直感性を高めることができる。
【００１１】
前記移動体通信端末機との通信シーケンスを記述した試験シナリオに従って前記通信部に通信を行わせるシナリオ処理部５２ををさらに具備してもよい。また、前記設定情報取得部は、前記試験シナリオのデータに含まれる、前記物理チャネルの割当に関連する設定情報を取得してもよい。試験シナリオのデータから物理チャネルの割当に関連する設定情報を取得するので、表示制御部は、試験実行中にリアルタイムで、物理チャネルの割当状況表示画面を生成することができる。
【００１２】
前記設定情報取得部は、前記試験シナリオに含まれる、通信方向の前記タイムスロットへの割当に関連する設定情報を取得してもよい。また、前記表示制御部は、前記取得された設定情報に基づき、前記タイムスロット毎の前記通信方向を示す画像を、前記割当状況表示画面内にさらに生成してもよい。これにより、通信方向の割当も割当状況表示画面内に表示させることができるので、操作者は、物理チャネルの割当状況と、タイムスロットの通信方向とを対応付けて直感的に確認することができる。
【００１３】
前記設定情報取得部は、前記試験シナリオに基づいて前記移動体通信端末機と前記通信部との接続状態を判定し、前記表示制御部は、前記判定された接続状態を示す情報を、前記割当状況表示画面内にさらに生成してもよい。これにより、接続状態の情報も割当状況表示画面内に表示させることができるので、操作者は、現在の接続状態をリアルタイムに確認することができ、また、その接続状態と、現在の物理チャネルまたは通信方向の割当の状況との対応付けを、リアルタイムで確認することができる。
【００１４】
前記試験装置は、前記通信部による通信のシーケンスのログデータを生成するログデータ生成部５６をさらに具備してもよい。その場合、前記表示制御部は、前記ログデータの一覧を前記表示部に表示可能である。また、前記設定情報取得部は、前記ログデータの一覧のうち、操作者により指定されたログデータまたはこれに関連するログデータに含まれる、前記物理チャネルの割当に関連する設定情報を取得してもよい。指定されたログデータまたはこれに関連するログデータから物理チャネルの割当に関連する設定情報を取得するので、試験後に操作者により指定されたログデータに基づいて、表示制御部は、物理チャネルの割当状況表示画面を生成することができる。
【００１５】
前記設定情報取得部は、前記指定されたログデータまたはこれに関連するするログデータに含まれる、通信方向の前記タイムスロットへの割当に関連する設定情報を取得してもよい。また、前記表示制御部は、前記取得された設定情報に基づき、前記タイムスロット毎の前記通信方向を示す情報を、前記割当状況表示画面内にさらに生成してもよい。これにより、通信方向の割当も割当状況表示画面内に表示させることができるので、操作者は、物理チャネルの割当状況と、タイムスロットの通信方向とを対応付けて直感的に確認することができる。
【００１６】
前記設定情報取得部は、前記指定されたログデータまたはこれに関連するログデータから前記移動体通信端末機と前記通信部との接続状態を判定し、前記表示制御部は、前記判定された接続状態を示す情報を、前記割当状況表示画面内にさらに生成してもよい。これにより、接続状態の情報も割当状況表示画面内に表示させることができるので、操作者は、試験後であってもその接続状態を確認することができ、また、その接続状態と、物理チャネルまたは通信方向の割当の状況との対応付けを容易に確認することができる。
【００１７】
前記表示制御部は、前記操作者の操作に応じて、前記表示制御部により生成された前記割当状況表示画面の前記接続状態の時点を基準とした過去または未来における、前記物理チャネルの前記タイムスロットへの対応付けを表す割当状況表示画面を生成してもよい。現在表示されている割当状況表示画面の接続状態より過去または未来のログの設定情報に基づいて、当該過去または未来の接続状態における割当状況表示画面を生成することにより、操作者は、現在表示されている割当状況表示画面の接続状態の時点の近辺の割当状況表示画面を容易に確認することができる。
【００１８】
前記試験装置は、前記表示制御部で生成すべき前記割当状況表示画面のデータ量を間引く間引き処理部６５をさらに具備してもよい。これにより表示制御部による割当状況表示画面の生成処理の負荷、また、操作者のその画面の監視負荷を軽減することができる。
【００１９】
本発明に係る試験方法は、各種のチャネルを設定し、試験対象である移動体通信端末機（１０）との間で、通信フレームが複数のタイムスロットで分割された時分割複信且つ符号分割多元接続方式で通信可能な試験装置５０、１５０による試験方法である。
前記試験方法は、前記取得された設定情報に基づき、前記物理チャネルの、前記タイムスロット及びチャネライゼーションコードへの対応付けを表す割当状況表示画面を生成し、前記割当状況表示画面を表示する。
【発明の効果】
【００２０】
以上、本発明によれば、試験者が、物理チャネルの少なくともタイムスロットへの割当を容易に確認することができることにより、試験者の手間と時間を減らすことができる。
【図面の簡単な説明】
【００２１】
【図１】図１は、本発明の第１の実施形態に係る試験装置を含むシステムの構成を示すブロック図である。
【図２】図２は、ＴＤ−ＳＣＤＭＡのフレーム構造を示す。
【図３】図３は、タイムスロットごとのダウンリンク／アップリンク（通信方向）の例を示す。
【図４】図４は、スイッチングポイントの移動により通信方向が可変であることを示す図である。
【図５】図５は、割当状況表示制御部によって生成される割当状況を示す画像の表示フォーマットである。
【図６】図６は、試験装置による割当状況の表示処理を示すフローチャートであり、通信中にリアルタイムに割当状況を表示する例を示す。
【図７】図７は、試験シナリオのうち、例えばＰ？ＣＣＰＣＨ（Primary Common Control Physical Channel）に関連する項目の記載例を示す。
【図８】図８は、図５で示す表示フォーマットで表示される所定の接続状態（位置登録された状態）における、割当状況表示画面の例を示す。
【図９】図９は、図５で示す表示フォーマットで表示される所定の接続状態（ＲＲＣの経路が接続された状態）における、割当状況表示画面の例を示す。
【図１０】図１０は、図５で示す表示フォーマットで表示される所定の接続状態（ＨＳＵＰＡの経路が接続された状態）における、割当状況表示画面の例を示す。
【図１１】図１１は、ログデータを生成して記憶した後、特に試験後において、ログの解析時における割当状況の表示処理を示すフローチャートである。
【図１２】図１２は、ログの一覧を表す画面の例を示す。
【図１３】図１３は、ログの一覧のうち１つのログが指定された時の画面の例を示す。
【図１４】図１４は、本発明の第２の実施形態に係る、試験後における表示処理を示すフローチャートである。
【図１５】図１５は、本発明の第３の実施形態に係る、試験後における表示処理を示すフローチャートである。
【図１６】図１６は、図１５におけるステップ５０１で表示された、ＲＲＣ（ＳＲＢ）が接続された接続状態（図９に示したものと同様の割当状況）における割当状況表示画面４６を示す。
【図１７】図１７は、本発明の第４の実施形態に係る試験装置を含むシステムの構成を示すブロック図である。
【図１８】図１８は、間引き処理を含むリアルタイムでの割当状況表示画面の表示処理を示すフローチャートである。
【図１９】図１９Ａ及びＢは、複数種の間引き処理の設定のうち、操作者によって選択された設定による間引き処理により生成された割当状況表示画面の例を示す。
【発明を実施するための形態】
【００２２】
以下、図面を参照しながら、本発明の実施形態を説明する。
【００２３】
［第１の実施形態］
（試験装置の構成）
図１は、本発明の第１の実施形態に係る試験装置５０を含むシステムの構成を示すブロック図である。このシステムは、移動体通信端末１０と、試験装置５０とを含む。本実施形態では、移動体通信端末１０及び試験装置５０の間の通信方式として、時分割同期符号分割多元接続（ＴＤ−ＳＣＤＭＡ：Time Division - Synchronous Code Division Multiple Access）方式を用いる場合について説明する。
【００２４】
移動体通信端末１０は、携帯電話機、データ通信端末機、またはこれらに用いられる移動体通信用の半導体デバイス等であり、試験装置５０による通信試験の対象となる機器である。試験装置５０は、疑似基地局として機能し、移動体通信端末１０を試験する。
【００２５】
試験装置５０は、操作部４３、表示部４１及び表示制御部４２を備える。
【００２６】
操作部４３は、試験者等を含む操作者による操作が入力されるデバイスである。操作部４３は、例えばキーボード、マウス、タッチパネル等のデバイスである。
【００２７】
表示部４１は、表示制御部４２により生成された表示画像を表示する。表示部４１は、例えば液晶等のデバイスである。
【００２８】
表示制御部４２は、表示部４１で表示される画像を生成する。また、表示制御部４２は、操作者が操作部４３を介して入力した操作情報を受け、その操作情報に基づいた処理を行う。表示制御部４２は、後述するようにログ表示制御部４２１及び割当状況表示制御部４２２を備える。
【００２９】
これら操作部４３、表示部４１、表示制御部４２及び後述するログ記憶部５７は、例えば試験装置５０の本体とは別体の装置として設けられ、この別体の装置が試験装置５０の本体に接続されてもよい。この別体の装置として、典型的にはＰＣ（Personal Computer）等が用いられる。
【００３０】
試験装置５０は、設定情報取得部５１、シナリオ処理部５２、通信部５４、ログデータ生成部５６、ログデータ記憶部５７を備える。
【００３１】
シナリオ処理部５２は、移動体通信端末１０との間で通信試験を行うための試験シナリオのデータであるシナリオファイルを図示しない外部装置から取得して、このシナリオファイルに記述された試験装置５０の動作シーケンスや通信シーケンスに従って、試験装置５０の各部を制御し、後述するメッセージ処理部５４３に送信メッセージの生成を指示し、メッセージ処理部５４３から受けた応答メッセージの処理結果を受けて、これに対する動作の判断を行う。上記外部装置は、例えば図示しない記憶装置や、上記したＰＣ等であり、このシナリオファイルを記憶している。試験装置５０は、その試験シナリオに従って疑似基地局として動作して移動体通信端末１０と通信する。
【００３２】
通信部５４は、各種の、論理チャネル、トランスポートチャネル及び物理チャネルを設定し、移動体通信端末機１０との間で通信を行う機能を備える。具体的には、通信部５４は、メッセージ処理部５４３、レイヤ処理部５４１及び送受信部５４２を有する。
【００３３】
メッセージ処理部５４３は、シナリオ処理部５２からの指示に従って、移動体通信端末１０に送信すべき送信メッセージを生成する。また、メッセージ処理部５４３は、移動体通信端末１０から送信され、送受信部５４２及びレイヤ処理部５４１を介して受信された応答メッセージを処理し、その結果をシナリオ処理部５２に通知する。
【００３４】
試験シナリオに用いられる送信メッセージは、移動体通信端末１０の制御に関連する送信メッセージと、移動体通信端末１０の制御に関連しない送信メッセージとを含む。制御に関連する送信メッセージとしては、例えば、送信電力制御情報や報知情報等がある。制御に関連しない送信メッセージとしては、例えば、動画データや、静止画データ、音声データ、メール内容のデータ等の各種のユーザデータがある。
【００３５】
レイヤ処理部５４１は、送信メッセージ及び応答メッセージをレイヤ毎に処理する。レイヤ処理部５４１は、メッセージ処理部５４３により生成された送信メッセージに対して、所定の通信規格（ここではＴＤ−ＳＣＤＭＡ）に対応した通信プロトコル処理を行い、通信プロトコル処理された送信メッセージを送受信部５４２へ出力する。また、レイヤ処理部５４１は、送受信部５４２を介して受信された応答メッセージに対して通信プロトコル処理を行い、通信プロトコル処理された応答メッセージをメッセージ処理部５４３へ出力する。
【００３６】
レイヤ処理部５４１は、各レイヤで処理を行う毎に、その通信内容をログデータ生成部５６に出力する。レイヤとしては上位から、ＲＲＣ（Radio Resource Control）、ＰＤＣＰ（Packet Data Control Protocol）、ＲＬＣ（Radio Link Control）、ＭＡＣ（Media Access Control）、ＰＨＹ（PHYsical）がある。
【００３７】
これら各レイヤは、ダウンリンクでは、上位から受けた通信データにこのレイヤ特有の処理を行い、下位に渡す。各レイヤは、アップリンクでは、下位から受けた通信データにこのレイヤ特有の処理を行い上位に渡す。
【００３８】
送受信部５４２は、レイヤ処理部５４１から出力されたダウンリンクのデータを、Ｄ／Ａ変換、変調、周波数変換等を行って、移動体通信端末１０へ送信し、また、移動体通信端末１０から送信されたアップリンクの信号に周波数変換、復調、Ａ／Ｄ変換等を行い、それにより得たデータを、レイヤ処理部５４１に入力する。送受信部５４２は、ＲＦ信号の送受信機や、ＩＱデータ等のベースバンド信号を送受信するデジタルインターフェースを備えている。
【００３９】
ログデータ生成部５６は、レイヤ処理部５４１の各レイヤから出力される通信データから、ログデータを生成する。具体的には、ログデータ生成部５６は、各レイヤから得られる通信データにログヘッダを付加することにより得られるデータを、ログデータとして生成する。ログデータ生成部５６は、時刻生成部５６１、ＩＤ生成部５６２を有する。時刻生成部５６１は、ログ発生時の時刻を記録するための時刻情報をログヘッダ内に生成する。ＩＤ生成部５６２は、生成された個々のログレコードを識別する識別子をログヘッダ内に生成する。
【００４０】
ログヘッダは、例えば、上記ＩＤ及び時刻の他、送信元レイヤ、宛先レイヤ、また、後述するように、チャネル情報、ＢＴＳ（Base Transceiver Station）番号、プリミティブ（Primitive）名、通信データ長等を含む。
【００４１】
ログデータ記憶部５７は、ログデータ生成部５６で生成されたログデータを記憶する。ログデータ記憶部５７は、ＨＤＤ（Hard Disk Drive）や、フラッシュメモリ等の大容量記憶媒体である。ログデータ記憶部５７は、この試験装置５０とは別体の外部記憶装置であってもよい。
【００４２】
ログ表示制御部４２１は、ログデータ記憶部５７に記憶されているログデータを予め定められた表示フォーマットに従い、表示部４１に表示させる。
【００４３】
設定情報取得部５１は、接続状態判定部５１１を備える。接続状態判定部５１１は、試験装置５０が、今現在、移動体通信端末１０と通信途中である場合、試験装置５０と移動体通信端末１０との接続状態（接続の段階）を判定する。この場合、接続状態判定部５１１は、シナリオ処理部５２からメッセージ処理部５４３へ渡される送信メッセージの生成指示や、メッセージ処理部５４３からシナリオ処理部５２へ渡される応答メッセージの処理結果に基づいて、現在の接続状態をリアルタイムに判定する。
【００４４】
また、接続状態判定部５１１は、試験装置５０と移動体通信端末１０とが通信していない場合（通信終了後）、ログデータ記憶部５７に記憶された通信のログデータに基づき、試験装置５０と移動体通信端末１０との接続状態を判定することもできる。この場合、後述するように、接続状態判定部５１１は、操作者により指定されたログデータに基づき、過去の通信時の接続状態を判定する。
【００４５】
設定情報取得部５１は、主にシナリオ処理部５２からメッセージ処理部５４３へ渡される送信メッセージの生成指示から、物理チャネルの割当に関連する設定情報を取得する。また、設定情報取得部５１は、ログデータ記憶部５７に記憶されているログデータから、物理チャネルの割当に関連する設定情報を取得することも可能である。これにより、設定情報取得部５１は、チャネル割当を特定する。具体的には、この設定情報は、物理チャネルの、フレーム内のタイムスロットへの割当及びチャネライゼーションコードへの割当の設定を示す情報である。ＣＤＭＡ系の通信方式では、物理レイヤにおいてスペクトラム拡散処理を行うためにチャネライゼーションコードが用いられる。
【００４６】
さらに、設定情報取得部５１は、当該試験シナリオから、ダウンリンク／アップリンク、つまり通信方向の、タイムスロットへの割当に関連する設定情報を取得する。この設定情報は、例えば後述するスイッチングポイントの情報であり、例えば試験シナリオに予め記載されている。また、設定情報取得部５１は、ログデータ記憶部５７に記憶されているログデータから、通信方向の、タイムスロットへの割当に関連する設定情報を取得することも可能である。これにより、設定情報取得部５１は、通信方向のタイムスロットへの割当（通信方向割当）を特定することができる。
【００４７】
割当状況表示制御部４２２は、設定情報取得部５１で取得された設定情報に基づくチャネル割当の情報に基づき、物理チャネルの割当の状況を、予め定められた後述する表示フォーマット（図４参照）に従い、表示部４１に表示させる。また、割当状況表示制御部４２２は、チャネル割当の他、設定情報取得部５１で取得された設定情報に基づく通信方向のタイムスロットへの割当の状況、及び、接続状態判定部５１１により判定された接続状態を示す情報を、上記表示フォーマットに従い、物理チャネルの割当とともに、表示部４１に表示させる。
【００４８】
なお、図示していないが、試験装置５０は、通信部５４を複数組、備える構成であってもよい。一組の通信部５４は、１台の基地局の動作を模擬する。このため、試験装置５０がこの組合せを複数備えることにより、例えば、移動体通信端末１０が通信先の基地局を切り替えるハンドオーバ動作の試験を、１台の試験装置５０で行うことができる。なお、この場合は、試験装置５０は、各組から送信される信号を結合して移動体通信端末１０に出力するとともに、移動体通信端末１０から受信した信号を各組に分配する結合器（不図示）を備える。
【００４９】
試験装置５０は、図示しないＣＰＵ（Central Processing Unit）、ＲＡＭ（Random Access Memory）、ＲＯＭ（Read Only Memory）等のハードウェアを主に備えている。試験装置５０は、ＣＰＵに加え、または、ＣＰＵに代えて、ＦＰＧＡ（Field Programmable Gate Array）等のＰＬＤ（Programmable Logic Device）を備えていてもよいし、あるいは、ＤＳＰ（Digital Signal Processor）、ＡＳＩＣ（Application Specific Integrated Circuit）等を備えていてもよい。
【００５０】
試験装置５０の構成は、上記ハードウェアのみで実現されてもよいし、または、ハードウェア及びソフトウェアの両方で実現されてもよい。後者の場合、上記ＣＰＵ等のプロセッサであるハードウェアと、例えば上記ＲＯＭや他の記憶デバイスに記憶されたソフトウェアとの協働により、図に示した試験装置５０の各機能ブロックの機能を実現する。
【００５１】
（ＴＤ−ＳＣＤＭＡのフレーム構造）
図２は、ＴＤ−ＳＣＤＭＡのフレーム構造を示す。ＴＤ−ＳＣＤＭＡのフレームは、１０ｍｓ周期の無線フレーム（Radio frame）からなり、この無線フレームは、２つのサブフレーム（sub-frame）からなる。
【００５２】
各サブフレームには、タイムスロット＃０からタイムスロット＃６までの７つのタイムスロット（timeslot）が含まれる。タイムスロット＃０とタイムスロット＃１との間に、下り方向の同期用信号を含む区間ＤｗＰＴＳ（Downlink Pilot Time Slot）と、無信号区間ＧＰ（Guard Period）と、上り方向の同期用信号を含む区間ＵｐＰＴＳ（Uplink Pilot Time Slot）とが設けられている。
【００５３】
図３は、タイムスロットごとの通信方向の例を示す。タイムスロット＃０は、基地局すなわち試験装置５０から各移動体通信端末１０へのダウンリンクの通信に用いられ、タイムスロット＃１は、アップリンクの通信に用いられるように予め規定されている。タイムスロット＃２からタイムスロット＃６までは、何れの方向にも用いることができる。なお、規定によっては、タイムスロット＃６をダウンリンク用とし、タイムスロット＃１からタイムスロット＃５までを、何れの方向にも用いることができるように定めている場合もある。
【００５４】
スイッチングポイント（Switching Point）は、アップリンクとダウンリンクの、タイムスロットへの割当を決定し、具体的にはアップリンクからダウンリンクへの切り替え位置の機能を持つ。図３に示す例では、スイッチングポイントは、タイムスロット＃３と＃４との間にあり、タイムスロット＃２及び＃３にはアップリンクが割り当てられ、タイムスロット＃４〜＃６にはダウンリンクが割り当てられている。
【００５５】
ＴＤ−ＳＣＤＭＡでは、スイッチングポイントを移動させることによって、ダウンリンク／アップリンクの割当を変更することができる。具体的には、通信状態、例えばネットワークの輻輳状態に応じて、その割当を動的に変更することができる。図４Ａに示す例では、スイッチングポイントがタイムスロット＃３及び＃４の間にあり、図４Ｂに示す例では、スイッチングポイントがタイムスロット＃２及び＃３の間にある。
【００５６】
（割当状況の表示フォーマット）
図５は、上記した割当状況表示制御部４２２によって生成される割当状況を示す画像の表示フォーマットである。この表示フォーマット４５は、表形式で表され、横軸のタイムスロットナンバー領域４５１、このタイムスロットナンバー領域４５１に沿って配置された通信方向割当領域４５２、縦軸のチャネライゼーションコード領域４５３、そして、マトリクス状のチャネル割当領域４５４を有する。
【００５７】
タイムスロットナンバー領域４５１には、固定のタイムスロットを示す情報としての識別番号（Slot No.：０〜６）が配置される。チャネライゼーションコード領域４５３には、固定のチャネライゼーションコードを示す情報としてのチャネライゼーションコード番号（ChCode：１〜１６）が配置される。通信方向割当領域４５２には、タイムスロットごとに割り当てられるダウンリンク／アップリンク、つまり通信方向を示す情報が、例えば「Ｕ」及び「Ｄ」の文字でそれぞれ配列される。通信方向を示す情報は、上記したように一部のタイムスロットで可変である。
【００５８】
図５に示す例では、例えば最上段に、接続状態（Status）を示す領域４５５も設けられている。接続状態は、上記したように、接続状態判定部５１１により判定され、可変である。接続状態を示す領域は、最上段に限られず、最下段等の別の位置に配置されていてもよい。
【００５９】
さらに、この表示フォーマットは、タイムスロット＃０及び＃１の間に、スペース領域４５６を有する。スペース領域４５６は、ＤｗＰＴＳ、ＧＰ及びＵｐＰＴＳのスロットに相当する領域である。なお、スペース領域４５６は、表示する上では、もちろん無くても構わない。
【００６０】
（試験装置による割当状況の表示処理１）
図６は、試験装置による割当状況の表示処理を示すフローチャートであり、通信中にリアルタイムに割当状況を表示する例を示すものである。
【００６１】
シナリオ処理部５２が試験シナリオを読み込み、その試験シナリオに従って、試験装置と移動体通信端末１０との間の通信を開始する（ステップ１０１）。
【００６２】
設定情報取得部５１は、試験シナリオのデータから、チャネル割当に関連する設定情報を取得し、物理チャネルの割当位置を特定する（ステップ１０２）。具体的には、以下のように、物理チャネルの割当位置が特定される。
【００６３】
図７は、試験シナリオのうち、ある特定の物理チャネル、例えば破線で囲まれた部分に記載されているように、Ｐ？ＣＣＰＣＨ（Primary Common Control Physical Channel）に関連する項目の記載例を示す。設定情報取得部５１は、この試験シナリオの記載に含まれる多数のパラメータのうち、以下の項目（１）〜（４）（図７で一点鎖線で囲まれた項目）を参照して、物理チャネルの割当位置を特定する。
【００６４】
（１）PhyCHCode   = 1： チャネライゼーションコードの割当位置の先頭が、チャネライゼーションコード番号１〜１６のうちの１であることを示す。
（２）NumOfCHCodes= 2： チャネライゼーションコードの割当数が、２つであることを示す。
（３）StartSlot   = 0： タイムスロットの割当位置の先頭が、スロット＃０〜＃６のうち、＃０であることを示す。
（４）NumOfSlots  = 1： タイムスロットの割当数が、１つであることを示す。
【００６５】
（１）と（２）から、Ｐ？ＣＣＰＣＨがチャネライゼーションコード番号の１から２までに割り当てられることが分かる。また、（３）と（４）から、Ｐ？ＣＣＰＣＨがタイムスロットの＃０に割り当てられることが分かる。
【００６６】
また、設定情報取得部５１は、ダウンリンク／アップリンクの、つまり通信方向の、タイムスロットへの割当位置を特定する（ステップ１０３）。ここでは図示しないが、設定情報取得部５１は、試験シナリオのデータから、スイッチングポイントの位置を示すパラメータを、設定情報として取得し、これを特定する。
【００６７】
接続状態判定部５１１は、シナリオ処理部５２で読み込まれた試験シナリオのデータや、メッセージ処理部５４３との間でやりとりされる送信メッセージ及び応答メッセージのデータから、現在の接続状態をリアルタイムに判定する（ステップ１０４）。後でも述べるが、例えば現在の接続状態、移動体通信端末１０が位置登録された状態や、あるいは、信号無線ベアラ（ＳＲＢ：Signal Radio Bearer）の接続等、制御情報を送信するための経路が確立された状態が個々に判定される。
【００６８】
ここで、接続状態の判定（ステップ１０４）を、ステップ１０２及び１０３より先に実行してもよい。また、チャネル割当の特定（ステップ１０２）より、通信方向割当の特定（ステップ１０３）を先に実行してもよい。
【００６９】
割当状況表示制御部４２２は、ステップ１０２及び１０３で特定された物理チャネルの割当及び通信方向の割当を、ステップ１０４で特定された接続状態とともに、図８〜１０で具体的に説明するように、図５に示した表示フォーマット４５に表形式で表示する（ステップ１０５）。
【００７０】
図８、９及び１０は、当該表示フォーマットで表示される、それぞれ別の接続状態における、割当状況表示画面４６の例を示す。これらの図は、実際の多数の接続状態のうち、ごく一部を示すものである。
【００７１】
図８に示すIdle状態は、移動体通信端末１０が位置登録された状態である。この接続状態において、上の例で説明したように、Ｐ？ＣＣＰＣＨのチャネルが、タイムスロット＃０、チャネライゼーションコード番号１、２の位置に割り当てられている。また、この接続状態では、設定情報取得部５１及び割当状況表示制御部４２２による同様の処理によって、タイムスロット＃０の、チャネライゼーションコード番号３，４にＰＩＣＨ（Paging Indication Channel）、チャネライゼーションコード番号５，６にＳ−ＣＣＰＣＨ（Secondary Common Control Physical Channel）、チャネライゼーションコード番号１５にＦＰＡＣＨ（Fast Physical Access Channel）が割り当てられている。また、タイムスロット＃１のチャネライゼーションコード番号４，５に、ＰＲＡＣＨ（Physical Random Access Channel）が割り当てられる。さらに、スイッチングポイントは、タイムスロット＃３と＃４との間に設定されている。
【００７２】
物理チャネルの割当を表す画像として、具体的には図に示すように、横軸と縦軸とで描かれたマトリクス状の各領域に、各物理チャネルの文字を含む領域が個別に当てはめられるような画像が表示される。ここで、本実施形態では、各種の物理チャネルを示す領域は、個々に異なる色を有している。これにより、操作者は物理チャネルを色で把握することができ、直感性を高めることができる。
【００７３】
図９は、上記の位置登録後、ＲＲＣ（Radio Resource Control）の経路が接続された状態、つまり上記ＳＲＢが確立された状態を示す。ここでは、ＤＬ−ＤＰＣＨ（Downlink - Dedicated Physical Channel）、ＵＬ−ＤＰＣＨ（Uplink - Dedicated Physical Channel）が割り当てられている。スイッチングポイントは、図８に示す位置と同じである。
【００７４】
図１０は、上記ＳＲＢの確立の後、ＨＳＰＡ（High Speed Packet Access）による方式における、ＨＳＵＰＡ（High Speed Uplink Packet Access）の経路が接続された状態を示す。これは、つまりデータ無線ベアラ（ＤＢＲ：Data Radio Bearer）が確立された状態であり、主に個別のユーザデータが通信され得る状態である。ここでは、通信方向として、タイムスロット＃５と＃６との間にスイッチングポイントが配置され、＃２〜５にアップリンク、＃６にダウンリンクが割り当てられている。また、物理チャネルとしては、ＨＳ−ＳＩＣＨ（Shared Information Channel for HS-DSCH）、Ｅ−ＨＩＣＨ（E（Enhanced) - DCH Hybrid ARQ（Automatic Repeat Request） Indicator Channel）、Ｅ−ＡＧＣＨ（E - DCH Absolute Grant Channel）、Ｅ−ＰＵＣＨ（E - DCH Physical Uplink Channel）、ＨＳ−ＰＤＳＣＨ（High Speed - Physical Downlink Shared Channel）が割り当てられている。
【００７５】
ステップ１０１〜１０５の一連の処理が繰り返されることにより、接続状態ごとに、リアルタイムで割当状況を表示することができる。
【００７６】
なお、割当状況表示制御部４２２は、以上のような割当状況表示画面４６を、表示部４１の画面全体に表示させてもよいし、当該画面全体のうちの一部に表示させてもよい。割当状況表示画面４６を一部に表示させる場合、他の画面と並列させてまたは重ねて表示させてもよい。
【００７７】
図６の説明に戻る。試験実行中、つまり、通信部５４により移動体通信端末との間で通信が行われている間、ログデータ生成部５６は、通信部５４による通信のシーケンスのログを生成している。具体的には、ログデータ生成部５６は、各レイヤ間の通信データを取得し（ステップ１０６）、各通信データにログヘッダを付加して、これをログデータとしてログデータ記憶部５７に記憶している（ステップ１０７）。このステップ１０６及び１０７は、後述するログデータからチャネル割当状況及び通信方向割当状況の表示画面を生成する「表示処理２」の前提の処理となる。なお、ステップ１０７において、ログデータを記憶するとともにログ表示を行ってもよい。
【００７８】
以上のように、割当状況表示制御部４２２は、設定情報取得部５１で取得され特定された割当の情報に基づき、接続状態ごとに、物理チャネルを示す情報と、タイムスロット及びチャネライゼーションコードをそれぞれ示す情報との対応付けを表す割当状況表示画面４６を生成する。したがって、操作者は、接続状態ごとに、その割当の状況を容易に確認することができる。その結果、操作者の手間及び割当状況の確認のための時間を減らすことができ、操作者の労力を軽減することができる。これにより、デバッグ等の作業を容易化し、移動体通信に用いられる機器の開発の効率を高めることができる。
【００７９】
また、図８〜１０に示したように、割当状況の画像を表形式で表示するので、操作者による割当状況の認識の直感性を高めることができる。
【００８０】
また、タイムスロットを示す情報と通信方向を示す情報とを対応付けて表示するので、操作者は、物理チャネルの割当状況と、タイムスロットの通信方向とを対応付けて直感的に確認することができる。
【００８１】
また、本実施形態では、接続状態判定部５１１により現在の接続状態が判定され、その接続状態ごとに、試験中にリアルタイムで割当状況が表示される。したがって、操作者は、現在の接続状態をリアルタイムで確認することができ、また、その接続状態と現在の割当の状況との対応付けをリアルタイムで確認することができる。
【００８２】
さらに、本実施形態に係る割当状況の表示フォーマット４５（図５参照）は、ＤｗＰＴＳ、ＧＰ及びＵｐＰＴＳのスロット（図２参照）に相当するスペース領域４５６を含むことにより、操作者は、ＴＤ−ＳＣＤＭＡのフレーム構造と、この割当状況表示画面４６とを直感的に結びつけることができ、割当状況の確認が容易になる。
【００８３】
通信方向を示す領域では、アップリンクが「Ｕ」、ダウンリンクが「Ｄ」として示されていたが、このような文字に限られない。例えば、図形や記号、例えば上矢印／下矢印で通信方向が示されてもよいし、通信方向別に異なる色または模様で描かれたブロックが当てはめられてもよい。
【００８４】
（試験装置による割当状況の表示処理２）
次に、上記のようにログデータを生成して記憶した後、特に試験後において、ログの解析時における割当状況の表示処理について説明する。図１１は、その処理を示すフローチャートである。
【００８５】
ログ表示制御部４２１は、ログデータ記憶部５７に記憶されたログデータを基に、表示部４１にログを表示させる（ステップ２０１）。この表示の形式は任意であり、例えば図１２に示すように、ログを一覧で示している。
【００８６】
このログ表示画面２１は、ログデータに含まれる上記ログヘッダ内の情報を、上から下へ時系列に並べて表示するログヘッダ情報表示エリア２４と、通信データの内容を表示する通信データ情報表示エリア２５とを含む。図１２では、大量に生成されるログデータのうち、上記したようにごく一部のログデータを示しており、例えば画面の上領域（符号２８で示す）をスクロール操作することによって、現在表示されていない他のログデータも表示可能となっている。
【００８７】
ログヘッダ情報表示エリア２４は、上記したログヘッダ内に含まれるデータのうちのいくつかに対応した、「No.」、「ＰＨＹ」〜「ＲＲＣ」、「Primitive」、「Channel」、「Progress Time」の表示領域を含む。これらはログヘッダに含まれる情報である。
【００８８】
「No.」は、個々のログデータのシーケンシャルな識別番号であり、本実施形態では、上記ＩＤ生成部５６２によって生成される番号である。
「ＰＨＹ」〜「ＲＲＣ」は、どのレイヤ間でのデータの通信方向かを矢印で示す。これは、上記の送信元レイヤ、宛先レイヤの情報に基づいて表示される。図の例では、Ｎｏ．３１、３３、３５、３８及び３９のログデータがダウンリンクデータであり、Ｎｏ．３２、３４、３６、３７及び４０のログデータがアップリンクデータである。また、例えばＮｏ．３５及び３７のログデータは、ＲＲＣレイヤ及びＭＡＣレイヤ間での信号の要求及び確認を示している。
「Primitive」は、各レイヤ間の設定命令を示す。この図の例では、無線リンクをセットアップする時の設定を示している。
「BTS」は、ＢＴＳ番号である（疑似）基地局の番号を示す。この試験装置５０は、ハンドオーバ関連の試験用に複数の基地局の機能を持つ。
「Channel」は、上記したチャネル情報に基づいて表示され、どの通信チャネルを用いた通信か示す。図の例では、Ｐ？ＣＣＰＣＨが用いられている。
「Progress Time」は、時刻生成部５６１によって付加された時刻である。
【００８９】
通信データ情報表示エリア２５は、「Message」の項目を含む。これは、メッセージ名またはメッセージタイプ（以下、単にメッセージ名という。）を示す。メッセージ名は、上記メッセージ処理部５４３において、例えば試験シナリオから抽出され、あるいは試験シナリオに基づき作成される情報である。この図の例では、「Message」はどのログデータについても示されていないが、例えば、この図１２に示したログデータは、すべて同じメッセージを持ち、代表の１つのログについてメッセージ名が表示され得る。
【００９０】
また、通信データ情報表示エリア２５は、このログ表示画面２１の下方の２段のエリア２６及び２７を含み、これらのエリアは、操作者による操作部４３を介した操作により指定されたログ（後述）の通信データを表示するエリアである。この図の例では、未だ操作者による指定が行われておらず、エリア２６及び２７には、何も表示されていない。
【００９１】
図１１のフローチャートの説明に戻る。操作者は、上記のようなログ表示画面２１を参照しながら、所望のログデータ、例えば図１２に示したＮｏ．３１のログデータを指定する（ステップ２０２のＹＥＳ）。そうすると、図１３に示すように、例えばＮｏ．３１のログデータの欄が強調表示される。この際、通信データ情報表示エリア２５のうち上段のエリア２６に、操作者により指定されたログデータ内の通信データの変換表示が行われる。例えば、上段エリア２６には、CPHY-RL-SETUP-TDS-PAR…というように表示され、それ以下には、そのセットアップに関する各種のパラメータが表示される。なお、下段のエリア２７はＨＥＸ表示（例えば、7F 00 00 04 00 00…というように表示される）である。
【００９２】
図１３に示した例では、指定されたＮｏ．３１のログに含まれる通信データ内に、一点鎖線で囲まれる部分に示すように、物理チャネルの割当に関連する設定情報が含まれる。各種のログのうち物理チャネルの割当に関連する設定情報を含むログは、その「Message」（メッセージ名）によって予め決まっている。あるいは、それはメッセージ名でなく「Primitve」（プリミティブ名）よって予め決まっていてもよい。本技術についての知見を持つ操作者であれば、当該設定情報を含むログに対応するメッセージ名またはプリミティブ名を知っており、設定情報を持つログを指定することができる。
例えば、Ｓ−ＣＣＰＣＨ、ＰＩＣＨ等の共通チャネルに関連する情報は、ＳＩＢ５（System Information Block Type5）という報知情報に関するメッセージ内に含まれる。
一方、例えばＤＰＣＨ、ＨＳ−ＰＤＳＣＨ等の専用チャネルに関連する情報は、以下に示す多数のメッセージ内に含まれ、状況によって使い分けされる。
メッセージ名：RRC Connection Setup / Radio Bearer Setup / Radio Bearer Release / Radio Bearer Reconfiguration / Transport Channel Reconfiguration / Physical Channel Reconfiguration / Cell Update Confirm
【００９３】
設定情報取得部５１は、指定されたログに含まれる当該設定情報を取得し、この設定情報から（図１３で一点鎖線で囲まれるパラメータ）から、チャネル割当を特定する（ステップ２０３）。
【００９４】
また、本技術について知見を持つ操作者が、各種のログのうち、ステップ２０２で指定したログ近くの、通信方向の割当に関連する設定情報を含むログを指定する（ステップ２０４のＹＥＳ）。ここではそのログデータ及びそれに含まれる通信データの図示は省略する。設定情報取得部５１は、指定されたログに含まれる当該設定情報を取得し、この設定情報（例えばスイッチングポイントの情報）から、各タイムスロットへの通信方向割当を特定する（ステップ２０５）。
【００９５】
接続状態判定部５１１は、それら指定されたログの時刻以前、且つ、その時刻の直近の時刻を持つログに基づいて接続状態を判定する（ステップ２０６）。接続状態の種別は、メッセージ名と関連付けられているため、あるいはログの通信データ内のパラメータと関連付けられているため、接続状態判定部５１１は、その接続状態を判定することができる。接続状態が判定されると、割当状況表示制御部４２２は、図８〜１０で示したように、物理チャネルの割当、通信方向の割当及び判定された接続状態を、表形式で表示部４１に表示させる（ステップ２０７）。
【００９６】
ステップ２０１〜２０７の一連の処理が繰り返されることにより、接続状態ごとに、割当状況を表示することができる。
【００９７】
以上のように、本実施形態では、操作者により指定されたログデータに含まれる設定情報に基づいて、割当状況表示画面４６を表示することができる。したがって、例えば試験後に、操作者は所望のログデータを任意に指定して、その直近の接続状態における割当状況表示画面４６を表示させ、その内容を容易に確認することができる。このことは特に、試験の結果の解析時において、ある接続状態における異常の発生の原因を究明したりする場合などに有効である。
【００９８】
また、任意のログを指定できることから、操作者は、任意のレイヤの通信データを指定することができ、各レイヤの処理と、割当状況表示画面４６との関連性を考慮しつつ、また、その関連性に基づく異常の原因の究明を行うことができる。
【００９９】
［第２の実施形態］
図１４は、本発明の第２の実施形態に係る、試験後における表示処理（表示処理３）を示すフローチャートである。これ以降の説明では、上記第１の実施形態に係る装置やその処理と同様のものは説明を簡略化または省略し、異なる点を中心に説明する。なお、本実施形態に係る試験装置の構成は、図１に示した試験装置５０の構成と同様でよい。
【０１００】
図１４に示す表示処理は、各種ログのうち、物理チャネル及び通信方向のそれぞれの割当に関連する設定情報が含まれるログがどのログであるのかを、たとえ操作者が知らない場合であっても、操作者が指定した任意のログに基づいて、抽出対象となる設定情報が含まれるログデータを特定することを特徴とする。
【０１０１】
ログ表示制御部４２１は、上記ステップ２０１と同様にログを表示する（ステップ３０１）。操作者は、各種ログのうち、例えば図１２に示したＮｏ．３２のログを指定したとする（ステップ３０２のＹＥＳ）。そうすると、設定情報取得部５１は、その指定されたのログの時刻以前で、チャネル割当に関連する設定情報を含む直近のログであるＮｏ．３１のログを特定する（ステップ３０３）。設定情報取得部５１は、抽出対象とされる設定情報が含まれるログデータのメッセージ名（またはプリミティブ名でもよい）の種類を予め記憶しておくことにより、そのメッセージ名と同じまたは対応するメッセージ名の情報を含み、且つ、抽出対象となる設定情報を含むログデータを特定することができる。つまり、設定情報取得部５１は、指定されたログに関連するログデータを特定し、そのログデータから抽出対象となる設定情報を取得することができる。
【０１０２】
また、表示部４１に表示されたあるログを操作者が指定した場合、表示部４１には表示されていない、メッセージ名が対応する直近のログが特定される場合ももちろんある。
【０１０３】
設定情報取得部５１は、特定されたログの設定情報からチャネル割当を特定する（ステップ３０４）。
【０１０４】
設定情報取得部５１は、指定されたログの時刻以前で、通信方向割当に関連する設定情報（例えばスイッチングポイントの情報）を含む直近のログ（指定されたログに関連するログ）を、同様に特定する（ステップ３０５）。
【０１０５】
ステップ３０６〜３０８は、ステップ２０５〜２０７とそれぞれ同様の処理である。
【０１０６】
以上のように、本実施形態に係る処理では、操作者が、物理チャネル及び通信方向のそれぞれの割当に関連する設定情報を含むログを知らない場合であっても、それを含む直近のログを特定し、それらに基づく割当状況を表示することができる。また、操作者が、当該設定情報を含むログを知っていたとしても、操作者はわざわざ当該設定情報を含むログを指定する必要がなく、当該設定情報を含むログの時刻近傍にある任意のログを指定することにより、自動的に当該設定情報を含むログを特定することができ、操作者の労力を軽減することができる。
【０１０７】
［第３の実施形態］
図１５は、本発明の第３の実施形態に係る、試験後における表示処理（表示処理４）を示すフローチャートである。本実施形態の特徴は、例えば図１１及び１４にそれぞれ示したステップ２０７及び３０８で表示された割当状況表示画面４６で示された接続状態の時点を基準とした過去または未来の割当状況表示画面の表示処理を行うことである。なお、本実施形態に係る試験装置の機能ブロックの構成は、図１に示した試験装置５０の構成と同様でよい。
【０１０８】
ステップ４０１、４０２、・・・５０１は、図１１で示したステップ２０１〜２０７、また、図１４で示したステップ３０１〜３０８と、同様の処理である。
【０１０９】
図１６は、例えばステップ５０１で表示された、ＲＲＣ（ＳＲＢ）が接続された接続状態（図９に示したものと同様の割当状況）における割当状況表示画面４６を示す。この画面の下方には、現在表示されている（ステップ５０１で表示された）割当状況表示画面４６を生成するための設定情報を含むログデータの時刻より、過去の接続状態及び未来のログの接続状態における割当状況表示画面４６を、表示部４１で表示するためのボタン４８、４９が設けられている。
【０１１０】
設定情報取得部５１は、操作者によるこれらの履歴表示のための操作入力を監視する（ステップ５０２）。具体的には、設定情報取得部５１は、操作者により操作部４３を介して、これらの過去（前）の接続状態を示すボタン４８及び未来（後）の接続状態を示すボタン４９のうちいずれか一方が押されるか否かを判定する。
【０１１１】
現在表示されている割当状況表示画面４６を生成するための設定情報を含むログより前の接続状態の画面を表示するためのボタン４８が押された場合（ステップ５０３のＹＥＳ）、接続状態判定部５１１は、以下の処理を実行する。すなわち、現在表示されている割当状況表示画面４６を生成するための設定情報を含むログの時刻より過去の直近のログデータに基づいて、接続状態を判定する（ステップ５０４）。設定情報取得部５１は、当該過去の直近のログ（上記判定された接続状態の時のログ）を特定し、そのログから物理チャネルに関連する設定情報を取得して、その設定情報からチャネル割当を特定する（ステップ５０５）。同様に、設定情報取得部５１は、当該過去の直近のログ（上記判定された接続状態の時のログ）を特定し、そのログから通信方向に関連する設定情報を取得して、その設定情報から通信方向割当を特定する（ステップ５０６）。そして、割当状況表示制御部４２２は、それら特定されたチャネル割当及び通信方向割当のそれぞれの状況を表す画面を、割当状況表示画面として表示する（ステップ５０７）。この場合、図９で示された画面の１つ前の接続状態の割当状況表示画面が表示される。
【０１１２】
ステップ５０３でＮＯの場合、つまり、現在表示されている割当状況表示画面４６を生成するための設定情報を含むログの時刻より後の接続状態の画面を表示するためのボタン４９が押された場合、次のような処理が実行される。すなわち、ステップ５０８〜５１１では、設定情報取得部５１は、現在表示されている割当状況表示画面４６を生成するための設定情報を含むログの時刻より未来の直近のログ群から、接続状態、チャネル割当及び通信方向割当を特定し、割当状況表示制御部４２２は、それらの状況を表す画面を割当状況表示画面として表示する。この場合、図９で示された画面の１つ後の接続状態の割当状況表示画面が表示される。
【０１１３】
また、現在表示されている割当状況表示画面４６を基準として、試験装置５０は、ステップ５０２からの処理を繰り返し実行することも可能である。これにより、操作者は、現在表示されている割当状況表示画面の接続状態から、次々に過去または未来への接続状態を辿りながら、割当状況表示画面の履歴を確認することができる。
【０１１４】
以上のように、現在表示されている割当状況表示画面４６の接続状態より過去または未来のログの設定情報に基づいて、当該過去または未来の接続状態における割当状況表示画面を表示することにより、操作者は、指定したログの時刻の近辺の割当状況表示画面を容易に確認することができる。これにより、そのログの時刻の近辺で発生した異常の原因の特定が容易になる。
【０１１５】
なお、ステップ５０１で割当状況表示画面４６が表示される時、その表示された接続状態の時点より過去分または未来分の１つ以上の接続状態における割当状況表示画面を、表示制御部が図示しない表示用のバッファメモリに蓄積しておいてもよい。これにより、上記ボタン４８または４９が押された時に、その割当状況表示画面の履歴の表示速度を高めることができる。したがって、操作者が指定したログの時刻近辺で発生した異常の原因の特定作業の時間を短縮することができる。
【０１１６】
過去及び未来の接続状態を示すための操作インタフェースは、上記のようにＧＵＩによるボタンに限られず、試験装置５０の本体に設けられまたは接続された機械的な操作部であってもよい。また、ボタンに限られず、割当状況表示画面４６に設けられたスクロール等の機能によって、現在表示されている割当状況表示画面の接続状態より過去または未来の接続状態における割当状況表示画面を表示することも可能である。
【０１１７】
なお、図１５において、ステップ５０４の処理が、ステップ５０６の後に実行されてもよいし、同様に、ステップ５０８の処理が、ステップ５１０の後に実行されてもよい。
【０１１８】
［第４の実施形態］
図１７は、本発明の第４の実施形態に係る試験装置を含むシステムの構成を示すブロック図である。
【０１１９】
本実施形態に係る試験装置１５０は、上記リアルタイムの表示処理において、割当状況表示制御部４２２で生成すべき割当状況表示画面４６の画像データのデータ量を間引く間引き処理部６５を備える。間引き処理部６５は、間引き処理の設定を登録する設定登録部６５１を有する。間引き処理の設定は、操作者による操作部４３を介した操作入力によって行われ、設定登録部６５１は、その設定内容を記憶する。
【０１２０】
割当状況表示制御部４２２は、間引き処理部６５の設定登録内容に基づく処理により抽出されたデータに基づいて、割当状況表示画面４６を生成し、これを表示部４１に表示させる。
【０１２１】
図８〜１０に示した割当状況表示画面４６を基本割当画面として、間引き処理部６５によるその基本割当画面からの間引き処理のいくつかの設定内容の例を、以下に挙げる。
【０１２２】
（ａ）各種の物理チャネルのうち、操作者により予め選択された任意の１以上の物理チャネルの、各タイムスロット＃０〜６への割当の表示
（ｂ）タイムスロット＃０〜６及びチャネライゼーションコード番号１〜１６のうち、操作者により予め選択された任意の１以上のタイムスロット及び１以上のチャネライゼーションコードの、物理チャネルの割当の表示
（ｃ）ダウンリンク及びアップリンクのうち、操作者により予め選択された一方向のデータのタイムスロットの割当の表示
（ｄ）各種の接続状態のうち、操作者により予め選択された任意の１以上の接続状態での割当状況の表示
（ｅ）上記（ａ）〜（ｄ）のうち少なくとも２つの組み合わせの割当による表示
【０１２３】
操作者は、（ａ）〜（ｅ）のうちいずれか１つの間引き処理の設定を行った場合、設定登録部６５１は、その設定内容を登録する。
【０１２４】
図１８は、この間引き処理を含むリアルタイムでの割当状況表示画面４６の表示処理（表示処理５）を示すフローチャートである。
【０１２５】
操作者による間引き処理による設定の操作があった場合（ステップ６０１のＹＥＳ）、設定登録部６５１は、この設定内容を登録する（ステップ６０２）。設定の操作がない場合（ステップ６０１のＮＯ）、試験装置１５０は、間引き処理を行わずにリアルタイムの表示処理（例えば図６に示した表示処理１）を実行する（ステップ６０３）。
【０１２６】
ステップ６０４〜６０７は、図６におけるステップ１０１〜１０４と同様の処理である。
【０１２７】
ステップ６０７の後、間引き処理部６５は、設定情報取得部５１で取得された設定情報（接続状態の情報も含む）から、設定内容に基づいて、表示に必要なデータを抽出する（ステップ６０８）。つまり、表示に不要なデータを省く間引き処理を行う。そうすると、割当状況表示制御部４２２は、その間引き処理に応じてデータ量が削減された割当状況表示画面４６ａ、４６ｂ（図１９参照）を表示部４１に表示させる（ステップ６０９）。
【０１２８】
図１９Ａ及びＢは、上記各種の間引き処理の設定内容のうち、上記（ｃ）と（ｄ）との組み合わせによる間引き処理によって順に生成された割当状況表示画面の例を示す。この設定内容では、間引き処理（ｃ）についてはダウンリンクのみの表示である。また、間引き処理（ｄ）については、位置登録された状態及びＨＳＵＰＡ（ＤＲＢ）が接続された状態を表示したもの、つまり、例えば図８〜１０に示した３種類の接続状態のうち図９に示したＲＲＣ（ＳＲＢ）が接続された状態の表示を省いたものである。
【０１２９】
以上のような間引き処理により、表示制御部４２による、リアルタイムで変わる割当状況表示画面の生成処理、つまり表示処理の負荷、また、操作者のその画面の監視負荷を軽減することができる。
【０１３０】
具体的には、リアルタイムの表示処理では、割当状況表示画面４６が刻々と変わるので、上記設定内容の例のうち（ｄ）のように、すべての種類の接続状態における割当状況を表示するのではなく、操作者により選択された接続状態での割当状況表示画面４６ａ、４６ｂを表示することにより、表示処理の負荷が大幅に軽減され、また、試験者としての操作者による画面の監視負荷も軽減される。特に操作者にとっては、不必要な項目を表示させることなく、操作者が確認したい項目のみを割当状況表示画面４６ａ、４６ｂとして表示することができるので、操作者は割当状況を容易に確認することができ、またこれにより、確認対象とする項目の確認ミスを減らすことができる。
【０１３１】
本実施形態に係る間引き処理は、リアルタイムの表示処理の場合に限られず、表示処理２〜４に示したような、試験後のログの指定による割当状況の表示処理にも適用可能である。この場合、特に、上記のような操作者によって確認したい項目のみを割当状況表示画面として表示し、不要な項目を減らすことができるので、割当状況を容易に確認することができ、確認対象とする項目の確認ミスを減らすことができる。
【０１３２】
［その他の実施形態］
本発明は、以上説明した実施形態に限定されず、他の種々の実施形態を実現することができる。
【０１３３】
上記実施形態ではＴＤ−ＳＣＤＭＡの通信方式が用いられる場合について説明したが、ＴＤＤ且つＣＤＭＡの通信方式であれば、ＴＤ−ＳＣＤＭＡに限られることはない。
【０１３４】
また、図８等の割当状況表示画面４６では、通信方向のタイムスロットへの割当及び接続状態の表示も含まれていたが、これら２つの項目のうち少なくとも一方の表示は必ずしもなくてもよい。また、タイムスロットを示す情報が縦軸で表され、チャネライゼーションコードを示す情報が横軸で表されてもよい。
【０１３５】
以上説明した各形態の特徴部分のうち、少なくとも２つの特徴部分を組み合わせることも可能である。
【符号の説明】
【０１３６】
１０…移動体通信端末
４１…表示部
４２…表示制御部
４３…操作部
４５…表示フォーマット
４６…割当状況表示画面
５０、１５０…試験装置
５１…設定情報取得部
５２…シナリオ処理部
５４…通信部
５６…ログデータ生成部
５７…ログデータ記憶部
６５…間引き処理部
４２１…ログ表示制御部
４２２…割当状況表示制御部
４５１…タイムスロットナンバー領域
４５２…通信方向割当領域
４５３…チャネライゼーションコード領域
４５４…チャネル割当領域
４５５…接続状態を示す領域
４５６…スペース領域
５１１…接続状態判定部
【図１】
2014138418.tif 000003
【図２】
2014138418.tif 000004
【図３】
2014138418.tif 000005
【図４】
2014138418.tif 000006
【図５】
2014138418.tif 000007
【図６】
2014138418.tif 000008
【図７】
2014138418.tif 000009
【図１１】
2014138418.tif 000010
【図１２】
2014138418.tif 000011
【図１３】
2014138418.tif 000012
【図１４】
2014138418.tif 000013
【図１５】
2014138418.tif 000014
【図１７】
2014138418.tif 000015
【図１８】
2014138418.tif 000016
【図８】
2014138418.tif 000017
【図９】
2014138418.tif 000018
【図１０】
2014138418.tif 000019
【図１６】
2014138418.tif 000020
【図１９】
2014138418.tif 000021